(57)【特許請求の範囲】
【請求項１】
フィラメントから放出される熱電子がターゲットに衝突することによってコーン状Ｘ線ビームを照射するＸ線照射手段と、２次元に広がるＸ線検出面を有するＸ線透過像検出用のＸ線検出手段と、被検体へのコーン状Ｘ線ビームの照射に伴ってＸ線検出面に被検体のＸ線透過像が投影されるよう構成されたＸ線撮像装置において、
コーン状Ｘ線ビームの中心が前記Ｘ線検出面の中心からフィラメントの側へシフトした状態で前記Ｘ線照射手段と前記Ｘ線検出手段が配置されており、
前記Ｘ線照射手段は、Ｘ線ビームをコリメートするコリメータを備え、
前記コリメータは、コーン状Ｘ線ビームのターゲット側コーンビーム角を決定する第１リーフと、コーン状Ｘ線ビームのフィラメント側コーンビーム角を決定する第２リーフとを備え、
前記ターゲット側コーンビーム角に比べて前記フィラメント側コーンビーム角を小さくするように前記第２リーフが移動することを特徴とするＸ線撮像装置。
【発明の詳細な説明】
【０００１】
【発明の属する技術分野】
この発明は、コーン状Ｘ線ビームが被検体に照射されるとともに、被検体を通り抜けた透過Ｘ線が２次元に広がるＸ線検出面によって検出されるよう構成された医療用あるいは産業用のＸ線撮像装置に係り、コーン状Ｘ線ビーム照射方式のＸ線撮影において画像全体が鮮明なＸ線画像を得るための技術に関する。
【０００２】
【従来の技術】
最近、Ｘ線ＣＴ装置（Ｘ線コンピュータ断層撮影装置）として、図９に示すように、コーン状Ｘ線ビームＣＢを照射するＸ線照射部５１と、Ｘ線透過像検出用のフラットパネル型Ｘ線センサ（以下、適宜「パネル型Ｘ線センサ」と略記）５２とが、対向配置状態を保ったままで天板５３の上の被検体Ｍの周りを移動するように構成されているとともに、被検体Ｍへのコーン状Ｘ線ビームＣＢの照射により被検体ＭのＸ線透過像がＸ線検出面５２Ａに投影されて、パネル型Ｘ線センサ５２から読み出されるＸ線検出信号に基づきＸ線コンピュータ断層画像（Ｘ線ＣＴ画像）作成用の画像再構成が行われるよう構成された装置がある。
【０００３】
図１０に示すように、パネル型Ｘ線センサ５２は、アモルファスＳｅ膜のようなＸ線感応膜を有するＸ線検出素子５２ａがＸ線検出面５２ＡにＸＹマトリックス状に多数個配列された構成となっており、軽量・薄型で大面積化適性もある２次元アレイ型Ｘ線面センサである。したがって、図９のＸ線ＣＴ装置の場合、被検体Ｍの体軸方向に沿って並ぶ各スライス面Ｑ１〜Ｑｎが、パネル型Ｘ線センサ５２のＸ線検出面５２ＡのＹ方向のアドレスが同一であるＸ線検出素子５２ａの各ラインにそれぞれ同時に投影されてＸ線検出信号として出力されるので、スライス面Ｑ１〜Ｑｎに対応するＸ線検出信号が全て一挙に得られるかたちとなり、撮影時間の短縮が図れたりすることになる。
【０００４】
【発明が解決しようとする課題】
しかしながら、上記コーン状Ｘ線ビーム照射方式のＸ線ＣＴ装置の場合、最終的なＸ線ＣＴ画像においては画像の一部が不鮮明であるという問題がある。コーン状Ｘ線ビームは実効焦点が必ずしも均一ではなく、部分的にＸ線ビームの実効焦点が大きくなっており、実効焦点の大きいＸ線ビームの部分が当たる箇所はＸ線透視像がボケて最終的な画像が部分的に不鮮明になってしまうのである。
【０００５】
この発明は、上記の事情に鑑み、コーン状Ｘ線ビーム照射方式のＸ線撮影において画像全体が鮮明なＸ線画像を得ることができるＸ線撮像装置を提供することを目的とする。
【０００６】
【課題を解決するための手段】
前記課題を解決するために、請求項１の発明に係るＸ線撮像装置は、フィラメントから放出される熱電子がターゲットに衝突することによってコーン状Ｘ線ビームを照射するＸ線照射手段と、２次元に広がるＸ線検出面を有するＸ線透過像検出用のＸ線検出手段と、被検体へのコーン状Ｘ線ビームの照射に伴ってＸ線検出面に被検体のＸ線透過像が投影されるよう構成されたＸ線撮像装置において、コーン状Ｘ線ビームの中心がＸ線検出面の中心からフィラメントの側へシフトした状態でＸ線照射手段とＸ線検出手段が配置されており、Ｘ線照射手段は、Ｘ線ビームをコリメートするコリメータを備え、コリメータは、コーン状Ｘ線ビームのターゲット側コーンビーム角を決定する第１リーフと、コーン状Ｘ線ビームのフィラメント側コーンビーム角を決定する第２リーフとを備え、ターゲット側コーンビーム角に比べてフィラメント側コーンビーム角を小さくするように第２リーフが移動することを特徴とするものである。
【０００８】
〔作用〕
次に、この発明に係るＸ線撮像装置における作用を説明する。
請求項１の発明のＸ線撮像装置によるＸ線撮影では、Ｘ線照射手段による被検体へのコーン状Ｘ線ビームの照射に伴ってＸ線検出手段における２次元に広がるＸ線検出面に被検体のＸ線透過像が投影されることによりＸ線撮影が進むことになる。
【０００９】
そして、請求項１の発明のＸ線撮像装置の場合、Ｘ線撮影中、Ｘ線検出面に対してはコーン状Ｘ線ビームのフィラメント側コーンビーム角が制限される。フィラメントから放出される熱電子がターゲットに衝突することによってコーン状Ｘ線ビームを照射するＸ線照射手段の場合、コーン状Ｘ線ビームにおいては、ターゲット側からフィラメント側に向かうにつれて実効焦点が広がっており、フィラメント側コーンビーム角の制限によってコーン状Ｘ線ビームから除外されるＸ線ビーム部分は実効焦点が大きいところである。したがって、フィラメント側コーンビーム角の制限によってコーン状Ｘ線ビームにおいて実効焦点が部分的に大きいという事態は解消されるので、Ｘ線検出面に投影されるＸ線透視像がボケない。その結果、最終的に得られるＸ線画像も画像全体が鮮明なものとなる。
【００１０】
請求項１の発明のＸ線撮像装置では、Ｘ線照射手段とＸ線検出手段の配置によって、コーン状Ｘ線ビームの中心がＸ線検出面の中心からフィラメントの側へシフトしており、コーンビーム角の制限を受けるフィラメント側に対してはＸ線検出面が狭く割り当てられ、コーンビーム角の制限を受けない方のターゲット側の方に対してはＸ線検出面が広く割り当てられる結果、コーン状Ｘ線ビームはＸ線検出面にズレずに当たり、コーン状Ｘ線ビームおよびＸ線検出面が無駄なく有効に活用できる。
【００１１】
【発明の実施の形態】
続いて、この発明の一実施例を図面を参照しながら説明する。図１は実施例に係るＸ線ＣＴ装置の全体構成を示すブロック図、図２は実施例装置の撮像系の概略構成を示す模式図、図３は実施例装置における透過Ｘ線検出用のフラットパネル型Ｘ線センサ（以下、適宜「パネル型Ｘ線センサ」と略記）のＸ線検出面を示す概略平面図である。
【００１２】
図１に示す実施例のＸ線ＣＴ装置は、コーン状Ｘ線ビームＣＢを照射するＸ線照射部１と、図３に示すように、Ｘ線検出面２Ａが２次元に広がるＸ線透過像検出用のフラットパネル型Ｘ線センサ２が、対向配置状態を保ったまま天板３の上の被検体Ｍの周りを巡るよう構成されているとともに、被検体Ｍへのコーン状Ｘ線ビームＣＢの照射によって被検体ＭのＸ線透過像がＸ線検出面２Ａに投影され、パネル型Ｘ線センサ２から読み出されるＸ線検出信号に基づいてＸ線ＣＴ画像作成用の画像再構成が行われるよう構成されている。以下、実施例装置の構成をより具体的に説明する。
【００１３】
Ｘ線照射部１は、図２に示すように、フィラメント４Ａから放出される熱電子がターゲット４Ｂに衝突することによってＸ線を放射するＸ線管４とＸ線管４から放射されるＸ線をコーン状に整形するコリメータ５とを備えている。Ｘ線管４はターゲット４Ｂが回転しながら熱電子を受けてターゲット４Ｂの局部的消耗を避ける回転陽極式Ｘ線管である。コリメータ５はＸ線遮蔽材からなるリーフ５Ａおよびリーフ５Ｂを具備していて、コーン状Ｘ線ビームＣＢのターゲット側コーンビーム角θａとフィラメント側コーンビーム角θｂは、各リーフ５Ａ，５Ｂの前端縁の位置によってそれぞれ決まる構成になっている。勿論、ビーム全体としての総コンビーム角度θは、両コーンビーム角θａ，θｂの合計角度（θａ＋θｂ）である。
【００１４】
透過Ｘ線検出用のパネル型Ｘ線センサ２は、図３に示すように、Ｘ線検出面２Ａに極めて多数のＸ線検出素子２ａがＸＹマトリックス（例えば、１０２４×１０２４）式に配列されており、コーン状Ｘ線ビームＣＢの照射に伴って各Ｘ線検出素子２ａに蓄積された電荷信号は、制御系側からの読み出しコントロールに従って順に読み出された後、増幅・Ａ／Ｄ変換を経てから、画像再構成が行われる制御系側へ出力される構成となっている。
【００１５】
一方、実施例装置の場合、Ｘ線照射部１およびパネル型Ｘ線センサ２は、図１に示すように、モータ６の回転力がプーリ７およびベルト８を介して伝達されるのに伴って回転する回転リング９に固定されており、撮像系駆動部１０のコントロールによるモータ６の回転により回転リング９が連動して矢印ＲＡ，ＲＢの示す方向に回転するのに従って、Ｘ線照射部１とパネル型Ｘ線センサ２が被検体Ｍの周りを巡る構成になっている。
【００１６】
他方、実施例装置の場合、コーン状Ｘ線ビームＣＢが照射されるとともに、２次元に広がるＸ線検出面２Ａであることから、被検体Ｍの体軸方向に平行なＹ方向（スライス方向）に沿って並ぶ各スライス面Ｑ１〜Ｑｎが、パネル型Ｘ線センサ２のＸ線検出面２ＡのＹ方向のアドレスが同一であるＸ線検出素子２ａの各ラインにそれぞれ同時に投影されてＸ線検出信号として出力されるので、スライス面Ｑ１〜Ｑｎに対応するＸ線検出信号が全て一挙に得られるかたちとなり、撮影時間の短縮が図れたりすることになる。
【００１７】
また、Ｘ線照射部１に関しては、高電圧発生器１２などを含む照射制御部１１のコントロールにより、管電圧・管電流等の設定照射条件に従ってコーン状Ｘ線ビームＣＢを照射するよう構成されている。被検体載置用の天板３に関しては、天板駆動部１３のコントロールにより、被検体Ｍを乗せたままＸ（横）・Ｙ（縦＝被検体Ｍの体軸方向）・Ｚ（上下）の各方向に必要距離だけ天板３が移動するよう構成されている。
【００１８】
なお、パネル型Ｘ線センサ２のＸ線検出信号の読み出しコントロールや、照射制御部１１によるＸ線ビーム照射のコントロール、および、天板駆動部１３による天板３の移動コントロールは、操作卓１４からの入力操作等や撮影進行状況に応じて撮影制御部１５から適時に送出される指令信号に従って行われる構成となっている。
【００１９】
さらに実施例のＸ線ＣＴ装置は、Ｘ線ビームの照射に伴ってパネル型Ｘ線センサ２から出力されるＸ線検出信号を記憶する検出信号メモリ（原画像メモリ）１６と、検出信号メモリ１６に記憶されるＸ線検出信号に基づき３次元画像再構成処理を行う画像再構成部１７と、３次元画像再構成結果に従って得られたＸ線ＣＴ画像（Ｘ線コンピータ断層画像）を一時的に記憶するＣＴ画像メモリ１８を備えている他、ＣＴ画像メモリ１８に記憶されたＸ線ＣＴ画像をＸ線ＣＴ画像を画面表示する表示モニタ１９やフィルムに焼き付けて画像写真として出力する画像焼付け器（レーザ式イメージャー）２０を備えている。
【００２０】
そして、実施例のＸ線ＣＴ装置は、特徴的な構成として、パネル型Ｘ線センサ２のＸ線検出面２Ａに対してはコーン状Ｘ線ビームＣＢのフィラメント側コーンビーム角θｂが制限されるという特徴的な構成を備えている。すなわち、図２に示すように、Ｘ線照射部１においては、フィラメント側のリーフ５Ｂの方を中央寄りに少し移動させることにより、コーン状Ｘ線ビームＣＢのフィラメント側コーンビーム角θｂをターゲット側コーンビーム角θａに比べて少し小さくなるようにしているのである。
【００２１】
図４に示すように、コーン状Ｘ線ビームＣＢの場合、有効焦点ｍは、ターゲット側の端では非常に小さくてフィラメント側に近づくにつれて次第に拡大してゆき、フィラメント側コーンビーム角θｂから先では、有効焦点ｍが大きくなり過ぎてＸ線透視像におけるボケが、もはや無視できなくなる。
【００２２】
そこで、実施例のＸ線ＣＴ装置の場合、フィラメント側のリーフ５Ｂの方を中央寄りに進出させることにより、Ｘ線照射部１がターゲット側コーンビーム角θｂを越えるＸ線ビーム部分（斜線部分）が除去されたコーン状Ｘ線ビームＣＢを照射するようにしている。その結果、Ｘ線検出面２Ａに投影されるＸ線透視像はボケることなく、最終的に得られるＸ線ＣＴ画像も、画像全体が鮮明な高画質画像になる。
【００２３】
加えて、実施例のＸ線ＣＴ装置の場合、図２に示すように、Ｘ線照射部１とパネル型Ｘ線センサ２が、コーン状Ｘ線ビームＣＢの中心ＣＮａはＸ線検出面２Ａの中心ＣＮｂからフィラメント４Ｂの側へシフトするように配置されていて、コーンビーム角の制限を受けるフィラメント側に対してはＸ線検出面２Ａが狭く割り当てられ、コーンビーム角の制限を受けない方のターゲット側の方に対してはＸ線検出面２Ａが広く割り当てられる。したがって、コーン状Ｘ線ビームＣＢはズレないでＸ線検出面２Ａにうまく当たることから、コーン状Ｘ線ビームＣＢおよびＸ線検出面２Ａが有効に活用できる。
【００２４】
なお、この発明においては、図５に示すように、Ｘ線照射部１とパネル型Ｘ線センサ２が、コーン状Ｘ線ビームＣＢの中心ＣＮａとＸ線検出面２Ａの中心ＣＮｂが一致するように配置されていても構わない。
【００２５】
しかし、この場合、コーンビーム角の制限を受けないターゲット側のビーム域をＸ線検出面２Ａにぴったり一致させるようにする（つまり図５の状態）と、コーンビーム角の制限を受けるフィラメント側のビーム域にはＸ線検出面２Ａが広すぎてＸ線検出面２Ａに活用されない未利用域が生じる。
【００２６】
逆にコーンビーム角の制限を受けるフィラメント側のビーム域を、Ｘ線検出面２Ａにぴったり一致させると、コーンビーム角の制限を受けないターゲット側のビームにはＸ線検出面２Ａが広すぎて、やはりＸ線検出面２Ａに活用されない未利用域が生じることになる。
【００２７】
続いて、パネル型Ｘ線センサ（Ｘ線面センサ）２の構成を、今少し具体的に説明しておく。図６はパネル型Ｘ線センサ２のＸ線センサ部の概略断面図、図７はパネル型Ｘ線センサ２の全体構成を示すブロック図である。
【００２８】
パネル型Ｘ線センサ２は、Ｘ線が入射することによりキャリアが生成されるＸ線感応膜（例えばアモルファスＳｅ厚膜）である半導体膜２１と、半導体膜２１のＸ線入射側の表面に設けられた電圧印加電極２２と、半導体膜２１のＸ線非入射側の裏面に設けられたキャリア収集電極２３と、キャリア収集電極２３への収集キャリアを溜める電荷蓄積用のコンデンサＣａと、コンデンサＣａに蓄積された電荷を取り出すための通常時オフ（遮断）の電荷取り出し用のスイッチ素子２４の薄膜トランジスタ（ＴＦＴ）を備えており、電圧印加電極２２にバイアス電圧が印加された状態でＸ線照射に伴う生成キャリアがキャリア収集電極２３からコンデンサＣａに送り込まれて蓄積されるとともに、読み出しタイミングになった時にスイッチ素子２４がオン（接続）となって蓄積電荷が（Ｘ線）検出信号として読み出される構成になっている。したがって、パネル型Ｘ線センサ２は、半導体膜２１および電圧印加電極２２の各一部、キャリア収集電極２３、スイッチ素子２４およびコンデンサＣａからなるＸ線検出素子２ａが縦横に配列されている直接変換型のＸ線センサということになる。
【００２９】
また、パネル型Ｘ線センサ２では、Ｘ線検出素子２ａのスイッチ素子４用の薄膜トランジスタのソースが横（Ｘ）方向の読出し配線２５に接続され、ゲートが縦（Ｙ）方向の読出し配線２６に接続されている。読出し配線２５はプリアンプ群（電荷−電圧変換器群）２７を介してマルチプレクサ２８に接続されているとともに、読出し配線２６はゲートドライバ２９に接続されている。なお、プリアンプ群２７では、１本の読出し配線２５に対して、プリアンプ（電荷−電圧変換器）が１個それぞれ接続されている。
【００３０】
そして、パネル型Ｘ線センサ２の場合、図示しない読み出し制御部からマルチプレクサ２８およびゲートドライバ２９へ信号取り出し用の走査信号が送り込まれることになる。各Ｘ線検出素子２ａの特定は、Ｘ方向・Ｙ方向の配列に沿って各Ｘ線検出素子２ａに順番に割り付けられているアドレス（例えば０〜１０２３）に基づいて行われるので、取り出し用の走査信号は、それぞれＸ方向アドレスまたはＹ方向アドレスを指定する信号となる。
【００３１】
Ｙ方向の走査信号に従ってゲートドライバ２９からＹ方向の読出し配線２６に取り出し用の電圧が印加されるのに伴い、各Ｘ線検出素子２ａが列単位で選択される。そして、Ｘ方向の走査信号に従ってマルチプレクサ２８が切替えられることにより、選択された列のＸ線検出素子２ａのコンデンサＣａに蓄積された電荷が、プリアンプ群２７およびマルチプレクサ２８を順に経て後段の検出信号メモリ１６へＸ線検出信号として送り出される。
【００３２】
パネル型Ｘ線センサ２の場合、いわゆるデータ収集部（ＤＡＳ）を構成するプリアンプ群２７およびマルチプレクサ２８やゲートドライバ２９さらには必要に応じてＡＤ変換器（図示省略）なども一体的に設置され、一段と集積化が図られた構成となっている。しかし、プリアンプ群２７およびマルチプレクサ２８やゲートドライバ２９あるいはＡＤ変換器などの全部または一部が別体設置である構成であってもかまわない。
【００３３】
続いて、以上に述べた構成を有する実施例のＸ線ＣＴ装置によるＸ線断層撮影の進行プロセスを、図面を参照しながら説明する。図８は実施例装置によるＸ線断層撮影の進行状況を示すフローチャートである。
【００３４】
〔ステップＳ１〕被検体Ｍを天板３に載せたあと、天板３を移動させて被検体Ｍを撮影位置にセットする。
【００３５】
〔ステップＳ２〕操作卓１４による入力操作によってＸ線撮影が始められる。
【００３６】
〔ステップＳ３〕Ｘ線照射部１とパネル型Ｘ線センサ２が被検体Ｍの周りを巡りながら、Ｘ線照射部１はコーン状Ｘ線ビームＣＢを被検体Ｍに照射する。
【００３７】
〔ステップＳ４〕コーン状Ｘ線ビームＣＢの照射に伴ってパネル型Ｘ線センサ２から出力されるＸ線検出信号が検出信号メモリ１６に記憶される。
【００３８】
〔ステップＳ５〕検出信号メモリ１６に記憶さたＸ線検出信号に基づき画像再構成部１７により３次元画像再構成処理が行われる。
【００３９】
〔ステップＳ６〕３次元画像再構成処理の結果に従って希望断面のＸ線ＣＴ画像が作成されてＣＴ画像メモリ１８に記憶される。
【００４０】
〔ステップＳ７〕ＣＴ画像メモリ１８に記憶されたＸ線ＣＴ画像を表示モニタ１９の画面に映し出して観察したり、或いは画像焼付け器２０によりフィルムに焼き付けて画像写真として出力したりする。
【００４１】
被検体Ｍに照射されるコーン状Ｘ線ビームＣＢは、実効焦点の大きなＸ線ビーム部分が除かれていて、Ｘ線検出面２Ａに投影されるＸ線透視像はボケがないので、最終的に得られるＸ線ＣＴ画像も画像全体が鮮明である。
【００４２】
この発明は、上記実施の形態に限られることはなく、下記のように変形実施することができる。
【００４３】
（１）実施例の場合、コリメータのリーフ移動によりコーン状Ｘ線ビームのフィラメント側コーンビーム角を制限する構成であったが、Ｘ線管をコリメータに対して斜めに傾けてコーン状Ｘ線ビームをフィラメント側に振ることによりコーン状Ｘ線ビームのフィラメント側の端の部分をカットして、Ｘ線検出面に対してコーン状Ｘ線ビームのフィラメント側コーンビーム角を制限するという構成を採用してもよい。
【００４４】
（２）実施例はＸ線ＣＴ装置を例に採って説明したが、この発明のＸ線撮像装置はＸ線ＣＴ装置に限らず、例えばＸ線透視撮影装置であってもよい。
【００４５】
（３）実施例の場合、Ｘ線検出面が２次元に広がるＸ線透過像検出用のＸ線検出手段がパネル型Ｘ線センサであったが、このＸ線検出手段はパネル型Ｘ線センサに限らずイメージインテンシファイアや写真フィルムであっもよい。
【００４６】
（４）実施例のパネル型Ｘ線センサは、直接変換型であったが、入射Ｘ線がまず光に変換された後、変換光が電気信号に変換される間接変換型のセンサであってもよい。
【００４７】
【発明の効果】
以上に詳述したように、請求項１の発明のＸ線撮像装置によれば、Ｘ線検出面に対してはコーン状Ｘ線ビームのフィラメント側コーンビーム角を制限することによって実効焦点が大きいＸ線ビーム部分が除かれる構成となっており、コーン状Ｘ線ビームにおける実効焦点が部分的に大きいという事態は解消されるので、Ｘ線検出面に投影されるＸ線透視像がボケない。その結果、最終的に得られるＸ線画像は画像全体が鮮明なものとなる。
【００４８】
請求項２の発明のＸ線撮像装置によれば、Ｘ線照射手段とＸ線検出手段の配置がコーン状Ｘ線ビームの中心がＸ線検出面の中心からフィラメントの側へシフトさせる構成になっているので、コーンビーム角の制限を受けるフィラメント側に対してはＸ線検出面が狭く割り当てられ、コーンビーム角の制限を受けない方のターゲット側の方に対してはＸ線検出面が広く割り当てられる結果、コーン状Ｘ線ビームはＸ線検出面にズレずに当たり、コーン状Ｘ線ビームおよびＸ線検出面が無駄なく有効に活用できるようになる。
【図面の簡単な説明】
【図１】実施例のＸ線ＣＴ装置の全体構成を示すブロック図である。
【図２】実施例のＸ線ＣＴ装置の撮像系の要部構成を示す模式図である。
【図３】実施例装置のパネル型Ｘ線センサのＸ線検出面を示す概略平面図である。
【図４】実施例装置のＸ線管の実効焦点の大きさが変化する状況を示す模式図である。
【図５】変形例のＸ線ＣＴ装置の撮像系の要部構成を示す模式図である。
【図６】パネル型Ｘ線センサのＸ線センサ部を示す概略断面図である。
【図７】パネル型Ｘ線センサの全体構成を示すブロック図である。
【図８】実施例装置によるＸ線断層撮影の進行状況を示すフローチャートである。
【図９】従来のＸ線ＣＴ装置の撮像系の要部構成を示す模式図である。
【図１０】従来装置のパネル型Ｘ線センサにおけるＸ線検出素子の配列を示す図である。
【符号の説明】
１        …Ｘ線照射部
２        …フラットパネル型Ｘ線センサ
２Ａ      …Ｘ線検出面
Ｍ        …被検体
ＣＢ    …コーン状Ｘ線ビーム
θｂ    …フィラメント側コーンビーム角度
ＣＮａ  …コーン状Ｘ線ビームの中心
ＣＮｂ  …Ｘ線検出面の中心
【図１】
0004385444.tif 000002
【図２】
0004385444.tif 000003
【図３】
0004385444.tif 000004
【図４】
0004385444.tif 000005
【図５】
0004385444.tif 000006
【図６】
0004385444.tif 000007
【図７】
0004385444.tif 000008
【図８】
0004385444.tif 000009
【図９】
0004385444.tif 000010
【図１０】
0004385444.tif 000011